【事件の表示】
　平成１０年特許願第３０２３５１号「スロットマシン」拒絶査定不服審判事件〔平成１２年　５月　９日出願公開、特開２０００−１２６３６２〕について、次のとおり審決する。
【結　論】
　本件審判の請求は、成り立たない。
【理　由】
　
 第１　手続の経緯　
　
　本願は平成１０年１０月２３日の出願であって、平成１７年９月９日付けで拒絶の査定がされたため、これを不服として同年１０月１７日付けで本件審判請求がされるとともに、同年１１月１６日付けで明細書についての手続補正（以下「本件補正」という。）がされたものである。　
　
　
第２　補正の却下の決定　
　
［補正の却下の決定の結論］　
　
　平成１７年１１月１６日付けの手続補正を却下する。　
　
［理由］　
　
１．補正内容　
　
　本件補正は特許請求の範囲の補正を補正事項に含んでおり、特許請求の範囲の補正に限ってみると、請求項１記載の「前記表示窓に表示されている複数の図柄表示手段の図柄を、通常移動形態とは異なる告知移動形態に基いて移動させた後、前記通常移動形態に基いて移動させる」を「前記表示窓に表示されている複数の図柄表示手段の図柄を、最初に通常移動形態とは異なる告知移動形態に基いて移動させ、その告知移動形態に基く移動の終了により図柄が停止してから、前記通常移動形態に基いて移動させる」と補正する（ただし下線は省略した、以下「補正事項１」という。）ものである。　
　当該補正事項１は、告知移動形態に基づく移動から通常移動形態に基づく移動への移行についての規定を詳細化するものであり、本件補正は特許請求の範囲の減縮（平成１８年改正前特許法第１７条の２第４項２号該当）を目的とするものと認める。　
　そこで、本件補正後の請求項１に係る発明（以下「補正発明」という。）について、特許出願の際独立して特許を受けることができるかどうかを検討する。　
　
２．補正発明の認定　
　
　補正発明は、本件補正により補正された明細書の特許請求の範囲【請求項１】に記載された事項によって特定される次のとおりのものと認める。　
　
　「表示窓に対して複数種の図柄を順次回転移動させて表示する複数の図柄表示手段と、これら複数の図柄表示手段を通常始動させる始動信号を出力する始動操作部と、始動後の各図柄表示手段をそれぞれ停止させる停止信号を出力する複数の停止操作部とを備えるとともに、前記始動操作部が操作されたとき、前記表示窓の入賞ライン上に停止する図柄表示手段の図柄配列を抽選する抽選手段を備えているスロットマシンであって、　
　前記抽選手段により所定の図柄配列が選出されたとき、前記表示窓に表示されている複数の図柄表示手段の図柄を、最初に通常移動形態とは異なる告知移動形態に基いて移動させ、その告知移動形態に基く移動の終了により図柄が停止してから、前記通常移動形態に基いて移動させる抽選告知手段を備えているスロットマシン。」　
　
３．引用刊行物に記載される事項の認定　
　
　特開平６−３０４３１３号公報（以下「引用例１」という。）には、【請求項１】に　
　
　「 表示状態が変化して複数種類の表示態様を表示結果として導出表示可能な可変表示装置を含み、表示結果が予め定められた特定の表示態様となった場合に所定の遊技価値が付与可能となる遊技機であって、
前記表示結果の表示態様を事前に決定する事前決定手段と、
該事前決定手段により事前決定された内容に従って前記可変表示装置を制御する可変表示制御手段とを含み、
　前記可変表示制御手段は、前記事前決定手段により決定された表示結果が前記特定の表示態様となる場合に、特定の表示態様となる旨を可変表示装置の可変表示動作によって事前に報知することを特徴とする、遊技機。」　
　
　と記載がされたうえで、さらにその説明として下記の記載がされている。
　
　ア．「本発明は、パチンコ遊技機やコイン遊技機あるいはスロットマシン等で代表される遊技機に関する。」（【０００１】段）　
　
　イ．「その可変表示装置の表示結果が予め定められた特定の表示態様（たとえば７７７）となった場合に所定の遊技価値が付与可能となるように構成されたものがあった。」（【０００２】段）　
　
　ウ．「本発明は・・・目的は、可変表示装置の表示結果が特定の表示態様となる旨あるいは一部の表示結果が特定の表示態様の組合せとなる条件を満たす旨を遊技者に事前に報知するとともに、可変表示装置を注視している遊技者がその事前報知に気づき易いようにすることである。」（【０００５】段）　
　
　エ．「本実施例においては遊技機の一例としてパチンコ遊技機を示すが、本発明はこれに限らず、コイン遊技機やスロットマシン等でもよく、・・・表示結果が予め定められた特定の表示態様となった場合に所定の遊技価値が付与可能となる遊技機であればすべて対象となる。」（【００１０】段）　
　
　オ．「始動口スイッチ１１の検出信号に基づき、可変表示装置３の各図柄表示部が可変開始される。可変表示装置３には、回転ドラム４ａ、４ｂ、４ｃの図柄によって３行×３列のマトリックス状に配列された９つの図柄表示部が形成され、・・・・各図柄表示部は、可変表示中は所定の複数個の図柄を順次回転表示する。・・・・なお、停止時の順序をこれに限定されず、たとえば左、中、右の順で停止制御しても良い。・・・・さらに、この可変表示装置３の可変表示を、遊技者の停止ボタン（図示せず）の押圧操作によって停止させたり、また、所定時間の経過または遊技者の停止ボタンの押圧操作のうちいずれか早い方が行なわれたことに基づいて停止制御してもよい。」（【００１２】段）　
　
　カ．「・・・サブ基本回路２２では、その入力された信号に従って、ドラムランプ回路３０，モータ回路３１に制御信号を与える。すると、可変表示装置３を構成している可変表示ユニット１３８のドラムモータ左１３６ａ，ドラムモータ中１３６ｂ，ドラムモータ右１３６ｃが回転駆動されて各回転ドラム４ａ，４ｂ，４ｃが回転駆動される。」（【００２３】段）　
　
　キ．「図４の（ｅ）〜（ｈ）は、大当りの事前報知動作を示す。（ｅ）に示す可変表示装置３のすべての回転ドラム４ａ，４ｂ，４ｃが正転方向に回転を開始する以前において、すべての回転ドラム４ａ，４ｂ，４ｃが１／２図柄分逆転して（ｆ）に示す状態となる。次に、すべての回転ドラム４ａ，４ｂ，４ｃが正転方向に回転を開始し、１／２図柄分正転方向に回転した状態が（ｇ）に示される。そして、引続き、すべての回転ドラム４ａ，４ｂ，４ｃが（ｈ）に示したように正転方向に回転し、可変表示装置３が可変開始する。遊技者は、可変表示装置３の可変開始が行なわれる前にすべての可変表示部４ａ，４ｂ，４ｃが１／２図柄分逆転されることを見て、すべての可変表示部が停止した段階でぞろめが揃う大当りが発生することを事前に認識できる。」（【００３８】段）　
　
　ク．「ランダム１カウンタは、可変表示装置３の停止時の表示結果を、大当りが発生する特定の識別情報の組合せ（たとえば７７７）にするか否かを決定するためのものである。」（【００６１】段）　
　
　ケ．「入賞記憶エリア１に格納されていたランダム１カウンタの値の読出が行なわれる。この入賞記憶エリアは、始動入賞があったときに、その時点のランダム１カウンタの値を格納しておくエリアであり、・・・」（【００７８】段）　
　
　コ．「読出されたランダム１カウンタの値が所定の大当り判定値（１通り）と一致するか否かについての判断が行なわれる。・・・・したがって大当りであればプロセスフラグの値は「２」となって、前述の通り大当り図柄セット処理が次に行なわれる。」（【００７９】段）　
　
　サ．「図９（ｂ）は、・・・プロセスフラグが「２」のときに実行される大当り図柄セット処理のサブルーチンプログラムを示すフローチャートである。・・・・当り図柄を停止図柄ナンバーの左、中、右にセットする処理が行なわれる。この場合、左中右の図柄配列が同一であって当りラインが１ラインのみである場合には・・・・」（【００８１】段）　
　
　シ．「図１０（ａ）は、・・・はずれ図柄セットのサブルーチンプログラムを示すフローチャートである。この処理は・・・・すなわち抽選の結果はずれと判定された場合に実行される。」（【００９０】段）　
　
　さらに、引用例１の【図４】(e)-(h)には、「７」や「ＢＡＲ」といった図柄が【００３８】段の説明に即して可変表示される様子が示されている。また、ここでは図番３で示される可変表示部の枠部に対してドラムが回転し、図柄が変化している様子が示されている。　
　
４．引用刊行物記載の発明の認定　
　
　引用例１の【請求項１】に記載される発明（以下、「引用例１請求項発明」という）を、その説明として記載される事項によって補充し具体化する。
　
　まず、引用例１請求項発明の「遊技機」については、「本発明は、パチンコ遊技機や・・・あるいはスロットマシン等で代表される遊技機に関する」（【０００１】段）とされている。そして、「本実施例においては遊技機の一例としてパチンコ遊技機を示すが、本発明はこれに限らず、コイン遊技機やスロットマシン等でもよく」（【００１０】段）とも記載されている。　
　すなわち引用例１には、パチンコ遊技機を基礎とした具体例を用いつつ、「スロットマシン」の発明についても記載されていることが明らかである。　
　
　引用例１請求項発明にいう「可変表示装置」については、「回転ドラム４ａ、４ｂ、４ｃの図柄によって３行×３列のマトリックス状に配列された９つの図柄表示部が形成され・・・各図柄表示部は、可変表示中は所定の複数個の図柄を順次回転表示する」（【００１２】段）という説明も記載されており、また、図柄が「７」や「ＢＡＲ」といった複数種であることは【図４】にも示されている。　
　すなわち、引用例１には「複数種の図柄を順次回転表示する複数の図柄表示部」なる発明事項が記載されていることが明らかである。　
　
　引用例１請求項発明では、可変表示の開始をどうするか及び表示態様を事前に決定するタイミングは直接規定されていないけれども、どこかで可変表示を開始することは当然であるし、引用例１ではパチンコ遊技機の具体例における図柄表示部の可変開始について、「始動口スイッチ１１の検出信号に基づき、可変表示装置３の各図柄表示部が可変開始される」（【００１２】段）という説明が記載され、表示態様を事前に決定するタイミングについて、「始動入賞があったときに、その時点のランダム１カウンタの値を格納」（【００７８】段）、「読出されたランダム１カウンタの値が所定の大当り判定値（１通り）と一致するか否かについての判断」（【００７９】段）という記載がある。　
　そして、スロットマシンは、通常、図柄表示部を可変開始させる始動信号を出力する始動スイッチと、該始動スイッチが操作されたとき、当りライン上に停止する図柄表示部の図柄配列を抽選する事前決定手段を備えているから、引用例１請求項発明がスロットマシンの場合、これらの構成を有することは明らかである。　
　すなわち、引用例１には「複数個の図柄表示部を可変開始させる始動信号を出力する始動スイッチと、該始動スイッチが操作されたとき、当りライン上に停止する図柄表示部の図柄配列を抽選する事前決定手段」を有する発明事項が、記載されている。　
　
　引用例１請求項発明では、可変表示の「停止」を直接的には規定していないけれども、「表示結果が予め定められた特定の表示態様となった場合に所定の遊技価値が付与可能」は可変表示の停止を前提とすることが明らかである。そして、引用例１には「この可変表示装置３の可変表示を、遊技者の停止ボタン（図示せず）の押圧操作によって停止させ」（【００１２】段）という説明も記載されており、ここで停止される可変表示とは「・・・可変表示装置３の各図柄表示部が可変開始される」（【００１２】段）と記載されているとおり、可変開始後の各図柄表示部である。さらに、「サブ基本回路２２では、その入力された信号に従って、ドラムランプ回路３０，モータ回路３１に制御信号を与える」（【００２３】段）と記載されるとおり、図柄表示部は信号によって制御されているから、停止ボタンで停止制御がされる場合にも、そのための信号が出されることは明らかである。　
　すなわち、引用例１には「可変開始後の各図柄表示部を停止させる信号を出力する停止ボタン」の発明事項が記載されている。　
　
　引用例１請求項発明の「可変表示制御手段は、前記事前決定手段により決定された表示結果が前記特定の表示態様となる場合」については、「たとえば７７７」（【０００２】段）であり「ぞろめが揃う大当り」（【００３８】段）であることが記載されている。また事前決定手段が「図柄配列」を「抽選」するものであることは先に説示したとおり明らかである。　
　すなわち、引用例１には「抽選によりぞろめが揃う図柄配列（たとえば７７７）が抽選されたとき」なる発明事項が記載されている。　
　
　引用例１請求項発明における「可変表示装置の可変表示動作によって事前に報知する」については、「すべての回転ドラム４ａ，４ｂ，４ｃが正転方向に回転を開始する以前において、すべての回転ドラム４ａ，４ｂ，４ｃが１／２図柄分逆転して（ｆ）に示す状態となる。次に、すべての回転ドラム４ａ，４ｂ，４ｃが正転方向に回転を開始し、・・・・・そして、引続き、すべての回転ドラム４ａ，４ｂ，４ｃが（ｈ）に示したように正転方向に回転し、可変表示装置３が可変開始する。」（【００３８】段）という動作が記載されている。　
　ここで、回転ドラムは「回転ドラム４ａ、４ｂ、４ｃの図柄によって・・・９つの図柄表示部が形成され・・・各図柄表示部は、可変表示中は所定の複数個の図柄を順次回転表示する」（【００１２】段）というものであるから、回転ドラムの回転は複数の図柄表示部の図柄の回転と等価である。また、この動作によって「遊技者は、可変表示装置３の可変開始が行なわれる前にすべての可変表示部４ａ，４ｂ，４ｃが１／２図柄分逆転されることを見て、すべての可変表示部が停止した段階でぞろめが揃う大当りが発生することを事前に認識できる」（【００３８】段）とも記載されている。　
　すなわち、引用例１には「複数の図柄表示部の図柄を、正転方向に回転を開始する以前において、１／２図柄分逆転させ、次に、正転方向に回転を開始し、引続き正転方向に回転して可変開始させることで、可変開始が行われる前の１／２図柄分逆転によって、遊技者に大当りを事前に報知する」発明事項が記載されている。　
　
　以上をまとめると、引用例１には引用例１請求項発明とそれを補足する説明記載とから、　
　
　「複数種の図柄を順次回転表示する複数の図柄表示部と、複数個の図柄表示部を可変開始させる始動信号を出力する始動スイッチと、可変開始後の各図柄表示部を停止させる信号を出力する停止ボタンと、前記始動スイッチが操作されたとき、当りライン上に停止する図柄表示部の図柄配列を抽選する事前決定手段とを備え、　
　抽選によりぞろめが揃う図柄配列（たとえば７７７）が抽選されたとき、複数の図柄表示部の図柄を、正転方向に回転を開始する以前において、１／２図柄分逆転させ、次に、正転方向に回転を開始し、引続き正転方向に回転して可変開始させることで、可変開始が行われる前の１／２図柄分逆転によって、遊技者に大当りを事前に報知するスロットマシン」　
　
　の発明（以下「引用発明１」という）が記載されている。　
　
５．補正発明と引用発明１の一致点及び相違点の認定　
　
　引用発明１の「複数種の図柄を順次回転表示する複数の図柄表示部」は、この回転表示が【図４】において図番３で示される可変表示装置の枠状部の中において行われており、当該枠状部は機能的・構造的に表示用の窓と相違しないから、補正発明における「表示窓に対して複数種の図柄を順次回転移動させて表示する複数の図柄表示手段」に相当する。　
　
　引用発明１における「複数個の図柄表示部を可変開始させる始動信号を出力する始動スイッチ」と、補正発明における「これら複数の図柄表示手段を通常始動させる始動信号を出力する始動操作部」とについて検討すると、補正発明には「最初に通常移動形態とは異なる告知移動形態に基づいて移動」することが明記されており、「通常始動」における「通常」は特別な限定的意味を持ち得ないことが明らかである。そのため、引用発明１と補正発明の上記構成は、実質的に一致する。　
　
　引用発明１における「可変開始後の各図柄表示部を停止させる信号を出力する停止ボタン」と、補正発明における「始動後の各図柄表示手段をそれぞれ停止させる停止信号を出力する複数の停止操作部」とは、「始動後の各図柄表示手段を停止させる停止信号を出力する停止操作部」である限度で一致する。　
　
　引用発明１における「前記始動スイッチが操作されたとき、当りライン上に停止する図柄表示部の図柄配列を抽選する事前決定手段」と、補正発明における「前記始動操作部が操作されたとき、前記表示窓の入賞ライン上に停止する図柄表示手段の図柄配列を抽選する抽選手段」とは、「表示窓」が相違点にならないことは先に説示したとおりであるから、実質的に一致する。
　
　引用発明１における「抽選によりぞろめが揃う図柄配列（たとえば７７７）が抽選されたとき」は、補正発明における「前記抽選手段により所定の図柄配列が選出されたとき」に相当する。　
　
　引用発明１における「複数の図柄表示部の図柄を、正転方向に回転を開始する以前において、１／２図柄分逆転させ、次に、正転方向に回転を開始し、引続き正転方向に回転して可変開始させる」について検討すると、まず「正転方向に回転」は、「正」転の語が用いられているのに加えて「引続き・・・可変開始させる」段階での回転形態でもあることから、補正発明における「通常移動形態」に相当する。また「１／２図柄分逆転させ」は、「逆転」が「正転」とは異なると同時に、しかも「・・・１／２図柄分逆転によって、遊技者に大当りを事前に報知する」というものであるから、補正発明における「通常移動形態とは異なる告知移動形態」「その告知移動形態」に相当する。　
　そして、引用発明１において「正転方向に回転を開始する以前において、１／２図柄分逆転させ」ることは最初に行われる図柄の移動である。また、「１／２図柄分逆転」から「正転方向に回転を開始」までの間には、逆転動作の終了時に図柄が停止する状態が存在していることが、直接の記載がなくとも明らかである。　
　すなわち、引用発明１における「複数の図柄表示部の図柄を、正転方向に回転を開始する以前において、１／２図柄分逆転させ、次に、正転方向に回転を開始し、引続き正転方向に回転して可変開始させる」動作は、補正発明における「前記表示窓に表示されている複数の図柄表示手段の図柄を、最初に通常移動形態とは異なる告知移動形態に基いて移動させ、その告知移動形態に基く移動の終了により図柄が停止してから、前記通常移動形態に基いて移動させる」動作に相当する。　
　
　そして引用発明１において、かような動作により「大当りを事前に報知する」ことは補正発明における「抽選告知」に相当する。さらに、引用発明１がそれを行うための「手段」も有していることは当然である。　
　
　以上をまとめると、補正発明と引用発明１は、　
　
　「表示窓に対して複数種の図柄を順次回転移動させて表示する複数の図柄表示手段と、これら複数個の図柄表示手段を通常始動させる始動信号を出力する始動操作部と、始動後の各図柄表示手段を停止させる停止信号を出力する停止操作部と、前記始動操作部が操作されたとき、前記表示窓の入賞ライン上に停止する図柄表示手段の図柄配列を抽選する抽選手段とを備えているスロットマシンであって、　
　前記抽選手段により所定の図柄配列が選出されたとき、前記表示窓に表示されている複数の図柄表示手段の図柄を、最初に通常移動形態とは異なる告知移動形態に基いて移動させ、その告知移動形態に基く移動の終了により図柄が停止してから、前記通常移動形態に基いて移動させる抽選告知手段を備えているスロットマシン」
　
　である点で一致し、以下の各点で相違する。　
　
＜相違点１＞　
　引用発明１では、停止操作部が図柄表示手段を「それぞれ」停止させる「複数の」ものであるかは明らかでないのに対し、補正発明ではそう規定されていること。　
　
６．相違点の判断及び補正発明の独立特許要件の判断　
　
（１）相違点１について　
　
　引用発明１では、「停止操作部」が「複数」であって図柄を「それぞれ」停止させるものかどうかが明らかでないが、「スロットマシン」は、複数の停止操作部で各図柄をそれぞれ停止させることが通常のゲーム動作であるから、そのような通常のゲーム動作に適合するよう、停止操作部を複数としてそれぞれに対応する図柄表示部を止めるようにすること、すなわち相違点１に係る補正発明の構成を得ることは、設計事項である。　
　
（２）補正発明の独立特許要件の判断　
　
　相違点１は設計事項程度のものであり、相違点１に係る補正発明の構成を採用したことによる格別の作用効果を認めることもできない。　
　したがって、補正発明は引用発明１に基づいて当業者が容易に発明をすることができたものであるから、特許法第２９条第２項の規定により特許出願の際独立して特許を受けることができない。　
　
　すなわち、本件補正は平成１８年改正前特許法第１７条の２第５項で準用する同法第１２６条第５項の規定に違反している。　
　
［補正の却下の決定のむすび］　
　
　以上述べたとおり、本件補正は平成１８年改正前特許法第１７条の２第５項で準用する同法第１２６条第５項の規定に違反しているので、同法第１５９条第１項で読み替えて準用する同法第５３条第１項の規定により却下されなければならない。　
　
　よって、補正の却下の決定の結論のとおり決定する。　
　
　
第３　本件審判請求についての判断　
　
１．本願発明の認定　
　
　平成１７年１１月１６日付け手続補正は当審において却下されたから、本願の請求項１に係る発明（以下「本願発明」という。）は、平成１６年３月１５日付け手続補正により補正された明細書の特許請求の範囲【請求項１】に記載された事項によって特定される次のとおりのものと認める。　
　
　「表示窓に対して複数種の図柄を順次回転移動させて表示する複数の図柄表示手段と、これら複数の図柄表示手段を通常始動させる始動信号を出力する始動操作部と、始動後の各図柄表示手段をそれぞれ停止させる停止信号を出力する複数の停止操作部とを備えるとともに、前記始動操作部が操作されたとき、前記表示窓の入賞ライン上に停止する図柄表示手段の図柄配列を抽選する抽選手段を備えているスロットマシンであって、　
　前記抽選手段により所定の図柄配列が選出されたとき、前記表示窓に表示されている複数の図柄表示手段の図柄を、通常移動形態とは異なる告知移動形態に基いて移動させた後、前記通常移動形態に基いて移動させる抽選告知手段を備えているスロットマシン。」　
　　
２．引用刊行物記載の発明の認定　
　
　原査定の拒絶の理由に引用された特開平３−７７５６９号公報（以下「引用例２」という。）には、【特許請求の範囲】に　
　
　「複数のシンボル列を観察窓に定常速度で移動表示した後、これらのシンボル列の移動表示を停止させ、入賞ライン上に停止しているシンボルの組み合わせにより入賞の有無を表示するようにしたスロットマシンにおいて、　
　前記シンボル列の移動表示が停止されるまでに入賞を発生させるか否かを予め決定する入賞決定手段と、この入賞決定手段によって決定された入賞の有無に対応し、シンボル列の移動表示を前記定常速度とは異なる表示速度に切り換える表示速度切り換え手段とを備えたことを特徴とするスロットマシン。」　
　
　と記載がされたうえで、さらにその説明として下記の記載がされている。
　
　ア．「本発明は、シンボル列によって入賞が得られたか否かを表示するだけでなく、そのシンボル列の移動表示中に入賞が得やすい状態になっていることも表示できるようにしたスロットマシンに関するものである。」（第１頁左下欄第１９行−同頁右下欄第３行）　
　
　イ．「したがってほとんどの場合、ゲームの興趣はリールが停止した後だけに限られてしまい、リールが回転してから停止するまでの間は無為に時間経過を待つだけとなって、スロットマシンゲームの単調さを助長する大きな原因となっていた。・・・・本発明は、以上のような従来技術の欠点を解決するためになされたもので、大入賞等の入賞が得やすい状態になったときにはシンボル列の移動表示を変化させ、シンボル列の移動表示中にも遊技者に興趣を与えることができるようにしたスロットマシンを提供することを目的とする。」（第２頁左上欄第９行−同頁右上欄第５行）　
　
　ウ．「これら各リール９〜１１の外周面には例えば「レモン」、「７」、「スイカ」等の種々のシンボルが描かれており、前面パネル８に形成された３個の窓１２〜１４を通して観察される。窓１２〜１４には投入したコインの枚数に対応して有効化される入賞ライン１６が複数記されている。前記コイン投入口７よりコインを投入した後、スタートレバー６を操作すると、各リール９〜１１が回転を開始し、定常回転速度に達すると、ストップボタン３〜５の操作が可能となる。　
　ストップボタン３〜５が任意のタイミングで操作されると、ストップ信号が出力され、回転中の各リール９〜１１は停止される。」（第２頁左下欄第１３行−同頁右下欄第５行）　
　
　エ．「スタートレバー６の操作タイミングでスタート信号を、またコイン投入センサ３５はコインの検出タイミングで、乱数発生信号をそれぞれ出力する。・・・・この乱数発生回路４０にはスタート信号によりサンプリングを行うサンプリング回路４１が接続されている。このサンプリング回路４１ではｌサイクルを３０００回として、ｌサイクル間には同じ乱数をサンプリングしないようになっている。　
　サンプリング回路４１には絵柄決定回路４２が接続されている。絵柄決定回路４２ではサンプリングされた乱数値を絵柄テーブル４３に照らし合わせ、乱数値に該当するシンボルの組み合わせの判定を行い、このシンボルの組み合わせに対応する３個のシンボル信号を決定する。」（第３頁左上欄第９行−同頁右上欄第７行）　
　
　オ．「モータ制御回路４５にシンボル信号「７」、「７」、「７」が出力されたときには、モータ制御回路４５は定常回転速度に達したパルスモータ２０〜２２を一定時間後に減速して、等速回転に移行させる例えば第４図に示すようにＴ３の時点でＮ１ｒｐｍの定常回転速度を減速し、Ｔ５の時点でＮ２ｒｐｍの等速回転をさせるような駆動パルスを各パルスモータ２０〜２２に出力する。」（第３頁右下欄第１−８行）　
　
　カ．「なお、この実施例では各リール９〜１１を減速して定常回転速度より低い回転速度で等速回転させたが、加速して定常回転速度より高い回転速度で回転してもよい。」（第５頁右下欄第１５−１８行）　
　
３．引用刊行物記載の発明の認定　
　
　引用例２の【特許請求の範囲】に記載される発明（以下、「引用例２請求項発明」という）を、その説明として記載される事項によって補充し具体化する。　
　
　引用例２請求項発明における「複数のシンボル列を観察窓に定常速度で移動表示」する動作は、「各リール９〜１１の外周面には・・・種々のシンボルが描かれており、・・・スタートレバー６を操作すると、各リール９〜１１が回転を開始し」（第２頁左下欄第１３行−同頁右下欄第１行）というリールの回転によって行われている。また、スタートレバー６は「スタートレバー６の操作タイミングでスタート信号を・・・・出力する」（第３頁左上欄第９−１２行）というものである。　
　すなわち、引用例２には「観察窓に種々のシンボルを移動表示する複数のリール」及び「複数のリールの回転を開始させるスタート信号を出力するスタートレバー６」なる発明事項が記載されている。　
　
　引用例２請求項発明における「これらのシンボル列の移動表示を停止させ」は、「ストップボタン３〜５が・・・操作されると、ストップ信号が出力され、回転中の各リール９〜１１は停止される」（第２頁右下欄第３−５行）と説明されているから、引用例２には「回転中の各リール９〜１１を停止するストップ信号を出力するストップボタン３〜５」なる発明事項が記載されている。　
　
　引用例２請求項発明における「入賞ライン上に停止しているシンボルの組み合わせにより入賞の有無を表示するようにしたスロットマシンにおいて、前記シンボル列の移動表示が停止されるまでに入賞を発生させるか否かを予め決定する入賞決定手段」については、入賞の有無を示す停止時のシンボルの組み合わせをシンボルの停止以前に決定するものであるから、「スロットマシン」は「入賞ライン上に停止するシンボル列の組み合わせを予め決定する入賞決定手段」を有すると言い換えることができる。また、この予めの入賞決定は「乱数発生回路４０にはスタート信号によりサンプリングを行うサンプリング回路４１が接続されている・・・絵柄決定回路４２ではサンプリングされた乱数値を絵柄テーブル４３に照らし合わせ、乱数値に該当するシンボルの組み合わせの判定を行い、」（第３頁左上欄第１６行−同頁右上欄第６行）という形で行われるから、スタート信号が出力される「スタートレバー６が操作されたとき」に行われるものである。　
　すなわち、引用例２には「スタートレバー６が操作されたとき、入賞ライン上に停止するシンボル列の組み合わせを乱数で予め決定する入賞決定手段」を備える「スロットマシン」なる発明事項が記載されている。　
　
　引用例２請求項発明における「この入賞決定手段によって決定された入賞の有無に対応し、シンボル列の移動表示を前記定常速度とは異なる表示速度に切り換える表示速度切り換え手段」については、「シンボル信号「７」、「７」、「７」が出力されたときには、モータ制御回路４５は定常回転速度に達したパルスモータ２０〜２２を一定時間後に減速して、等速回転に移行させる」（第３頁右下欄第１−５行）「加速して定常回転速度より高い回転速度で回転してもよい」（第５頁右上欄第１７−１８行）という具体動作が記載されており、これによって「そのシンボル列の移動表示中に入賞が得やすい状態になっていることも表示できるようにしたスロットマシン」（第１頁左下欄第２０行−同頁右下欄第２行）とする機能を果たすものである。　
　すなわち、引用例２には「この入賞決定手段による決定が「７」「７」「７」であるときには、シンボル列の移動表示を、定常回転速度に達したモータを一定時間後に減速した等速回転あるいはさらに加速した回転速度に移行させることで、入賞が得やすい状態になっていることを示す表示速度切り換え手段」という発明事項が記載されている。　
　
　以上をまとめると、引用例２には引用例２請求項発明及びそれに関する説明の記載とから、　
　
　「観察窓に種々のシンボルを移動表示する複数のリールと、複数のリールの回転を開始させるスタート信号を出力するスタートレバー６と、回転中の各リール９〜１１を停止するストップ信号を出力するストップボタン３〜５と、前記スタートレバー６が操作されたとき、入賞ライン上に停止するシンボル列の組み合わせを乱数で予め決定する入賞決定手段を備えるスロットマシンであって、
　この入賞決定手段による決定が「７」「７」「７」であるときには、シンボル列の移動表示を、定常回転速度に達したモータを一定時間後に減速した等速回転あるいはさらに加速した回転速度に移行させることで、入賞が得やすい状態になっていることを示す表示速度切り換え手段を備えているスロットマシン」　
　
　の発明（以下「引用発明２」という）が記載されている。　
　　
３．本願発明と引用発明２の一致点及び相違点の認定　
　
　引用発明２における「観察窓に種々のシンボルを移動表示する複数のリール」は、リールは回転することで種々のシンボルを順番に移動表示するものであるから、本願発明における「表示窓に対して複数種の図柄を順次回転移動させて表示する複数の図柄表示手段」に相当する。　
　
　引用発明２における「複数のリールの回転を開始させるスタート信号を出力するスタートレバー６」は、本願発明における「これら複数の図柄表示手段を通常始動させる始動信号を出力する始動操作部」に相当する。なお、本願発明における「通常始動」の語が「始動」という以上に特別な意味を有さないことは、「第２」の「５．」において説示したと同様である。　
　
　引用発明２における「回転中の各リール９〜１１を停止するストップ信号を出力するストップボタン３〜５」は、各ボタンが各リールにそれぞれ対応することが明らかであるから、本願発明における「始動後の各図柄表示手段をそれぞれ停止させる停止信号を出力する複数の停止操作部」に相当する。　
　引用発明２における「前記スタートレバー６が操作されたとき、入賞ライン上に停止するシンボル列の組み合わせを乱数で予め決定する入賞決定手段」は、入賞ラインが観察窓（すなわち本願発明における「表示窓」）のものであることは明らかであり、乱数での決定は抽選と同一視できるから、本願発明における「前記始動操作部が操作されたとき、前記表示窓の入賞ライン上に停止する図柄表示手段の図柄配列を抽選する抽選手段」に相当する。　
　
　引用発明２における「この入賞決定手段による決定が「７」「７」「７」であるときには」は、本願発明における「前記抽選手段により所定の図柄配列が選出されたとき」に相当する。　
　
　引用発明２における「シンボル列の移動表示」は、本願発明における「前記表示窓に表示されている複数の図柄表示手段の図柄」の「移動」に相当し、引用発明２における「定常回転速度に達したモータを一定時間後に減速した等速回転あるいはさらに加速した回転速度に移行させる」は、本願発明における「通常移動形態とは異なる告知移動形態に基いて移動させた後、前記通常移動形態に基いて移動させる」と、「一つの移動形態に基づいて移動させた後、それと異なる他の移動形態に基づいて移動させる」という限度で一致する。　
　
　引用発明２における「入賞が得やすい状態になっていることを示す表示速度切り換え手段」は本願発明における「抽選告知手段」に相当する。　
　
　以上をまとめると、本願発明と引用発明２は、　
　
　「表示窓に対して複数種の図柄を順次回転移動させて表示する複数の図柄表示手段と、これら複数の図柄表示手段を通常始動させる始動信号を出力する始動操作部と、始動後の各図柄表示手段をそれぞれ停止させる停止信号を出力する複数の停止操作部と、前記始動操作部が操作されたとき、前記表示窓の入賞ライン上に停止する図柄表示手段の図柄配列を抽選する抽選手段を備えているスロットマシンであって、　
　前記抽選手段により所定の図柄配列が選出されたとき、前記表示窓に表示されている複数の図柄表示手段の図柄を、一つの移動形態に基づいて移動させた後、それと異なる他の移動形態に基づいて移動させる抽選告知手段を備えているスロットマシン」
　
　である点で一致し、以下の点で相違する。　
　
＜相違点１＞
　本願発明は「告知移動形態」に基づく移動の後、「通常移動形態」に基づく移動をさせるのに対して、引用発明２の移動形態は「定常回転速度」から「減速した等速回転あるいはさらに加速した回転速度」へと移行する点。　
　
４．相違点の判断及び本願発明の進歩性の判断　
　
　引用発明２における二段階の移動表示については、「定常回転速度」の後に「減速・・あるいはさらに加速した回転速度」へと移行する具体形態、すなわち、どちらかといえばむしろ通常時の移動形態といえるものが前段側に置かれる具体形態が示されているが、当該処理についてはそれと合わせて、「ゲームの興趣はリールが停止した後だけに限られてしまい、リールが回転してから停止するまでの間は無為に時間経過を待つだけ」となる「単調さ」（第２頁左上欄第９−１４行）という課題に対処するものであること、「シンボル列の移動表示中にも遊技者に興趣を与える」（第２頁右上欄第３−４行）目的を持つことが、説明として記載されている。　
　ここに説明される目的に照らして、遊技者への心理効果を考慮しつつ演出を設計する者であれば、「リールが回転してから停止するまでの間」のうち遊技者が「無為に時間経過を待つだけ」となる期間を可能な限り減らすことを考えることは自然である。また、原査定の拒絶の理由に引用された特開平５−３９４３号公報（以下「引用例３」という）に「すなわち抽選が当たりとなると、当たりランプ１２を数秒間点滅させて遊技者に抽選が当たったことを知らせ、全リールを低速で一斉に始動させる」と記載されているように、抽選当たりの事前報知を、当たりランプ等別途の手段ではあるが、最初の段階から行うことも知られている。
　そのため、引用発明２における二つの移動表示のうち、通常と異なるものを前段側に持ってきて最初から告知を行い、二段階の移動表示中の全期間にわたって「遊技者に興趣を与える」ようにすることは、「無為に待つだけ」の時間を省くという引用例２に記載される課題を考慮し、また抽選当たりの事前報知が最初の段階から行われることを知る者にとって、困難ではない。　
　すなわち、相違点１に係る本願発明の構成を得ることは当業者にとって困難ではない。　
　
　そして、そのようにして本願発明の構成を採用したことによる効果も、引用例２における前述の課題および目的も含めた発明の記載に比較して、格別のものとは認められない。　
　
　したがって、本願発明は引用発明２及び引用例３に記載される従来技術に基づいて当業者が容易に発明をすることができたものであるから、特許法第２９条第２項の規定により特許を受けることができない。　
　
　　
第４　むすび　
　
　本件補正は却下されなければならず、本願発明が特許を受けることができない以上、本願のその余の請求項に係る発明について検討するまでもなく、本願は拒絶を免れない。　
　
　よって、結論のとおり審決する。